(57)【要約】本発明は、少なくとも視覚的に検査可能でかつ少なくとも一部領域に浮出し模様を有するセキュリティエレメントを備えたデータ担体に関し、上記浮出し模様は、インキを用いない彫刻凹版印刷によって施された中間調空浮出し模様である。また本発明は、上記データ担体および上記セキュリティエレメントに空浮出し模様を施すための印刷版の作成方法に関する。
2004508226.tif 000002
【特許請求の範囲】
【請求項１】
少なくとも視覚的に検査可能でかつ少なくとも一部領域に浮出し模様を有するセキュリティエレメント（２）を備えたデータ担体（１）において、
前記浮出し模様が、インキを用いない彫刻凹版印刷によって施された中間調空浮出し模様（３）であることを特徴とするデータ担体。
【請求項２】
前記中間調空浮出し模様（３）が英数字、図案要素、または中間調画像、好ましくは人物像を表すことを特徴とする請求項１記載のデータ担体。
【請求項３】
前記中間調空浮出し模様（３）に加えて彫刻凹版印刷によって施された少なくとも一つの着色領域（５）が存在し、かつ前記中間調空浮出し模様（３）と前記着色領域（５）とが互いに離れていることを特徴とする請求項１または２記載のデータ担体。
【請求項４】
前記中間調空浮出し模様（３）と前記着色領域（５）との間の距離が少なくとも１ｍｍ、好ましくは３ｍｍであることを特徴とする請求項３記載のデータ担体。
【請求項５】
前記中間調空浮出し模様（７）と前記着色領域（５）とが直接的に隣接していることを特徴とする請求項１または２記載のデータ担体。
【請求項６】
前記着色領域（５）に隣接する前記中間調空浮出し模様（７）が、溝（９）として前記着色領域（５）内に少なくとも部分的に入り込んでいることを特徴とする請求項５記載のデータ担体。
【請求項７】
前記中間調空浮出し模様（３）が前記着色領域（５）の中央に配置されていることを特徴とする請求項３から６までのいずれかに記載のデータ担体。
【請求項８】
前記着色領域が、前記中間調空浮出し模様（３）の周囲の縁取りとして施されていることを特徴とする請求項３から７までのいずれかに記載のデータ担体。
【請求項９】
前記着色領域が組紐飾り模様を構成していることを特徴とする請求項３から８までのいずれかに記載のデータ担体。
【請求項１０】
前記中間調空浮出し模様（３）が、彫刻凹版印刷によって印刷されたものではない背景刷り（４）全体に施されていることを特徴とする請求項１から９までのいずれかに記載のデータ担体。
【請求項１１】
前記背景刷り（４）の少なくとも一部領域上に、前記着色領域（５）が重ねられていることを特徴とする請求項１０記載のデータ担体。
【請求項１２】
前記背景刷り（４）が、スクリーン印刷、オフセット印刷、または間接凸版印刷によって印刷されていることを特徴とする請求項１０または１１記載のデータ担体。
【請求項１３】
前記背景刷り（４）が効果層であることを特徴とする請求項１１または１２記載のデータ担体。
【請求項１４】
前記効果層が、金属、またはメタリックインキ、または干渉層色素を含むインキからなることを特徴とする請求項１３記載のデータ担体。
【請求項１５】
前記効果層が、青銅色、または金色、または銀色であることを特徴とする請求項１３または１４記載のデータ担体。
【請求項１６】
前記背景刷り（４）および前記着色領域（５）が、好ましくは同一色調で、互いにカラーコーディネートされていることを特徴とする請求項１０から１５までのいずれかに記載のデータ担体。
【請求項１７】
前記着色領域（５）が、被度の高い中心領域と、被度の低い内側および／または外側領域とを有し、被度の高い領域が前記背景刷り（４）の縁上に配置されていることを特徴とする請求項１０から１６までのいずれかに記載のデータ担体。
【請求項１８】
前記中間調空浮出し模様（３）のモチーフが、異なる印刷手法によって前記データ担体上に多数回施されることを特徴とする請求項１から１７までのいずれかに記載のデータ担体。
【請求項１９】
前記中間調空浮出し模様（３）に加えて、透かし（１４）およびさらなる印刷された付加的エレメントが存在し、前記透かし（１４）、付加的エレメント、および前記中間調空浮出し模様（３）が同一のモチーフを有することを特徴とする請求項１から１８までのいずれかに記載のデータ担体。
【請求項２０】
前記付加的エレメント（１３）が彫刻凹版印刷によって印刷されていることを特徴とする請求項１９記載のデータ担体。
【請求項２１】
前記中間調空浮出し模様（３）が、視覚的に識別可能な光の反射を生じさせる異なる表面粗さを有する部分領域を備えていることを特徴とする請求項１から２０までのいずれかに記載のデータ担体。
【請求項２２】
前記中間調空浮出し模様が、少なくとも部分的な領域において該中間調空浮出し模様に重ねられた、視覚的外観に影響を与えかつ個々の部分領域ごとに異なる配向を有する基礎構造を有することを特徴とする請求項１から２１までのいずれかに記載のデータ担体。
【請求項２３】
（ａ）データ担体材料を提供し、
（ｂ）三次元的レリーフを印刷版の表面に彫り込むことによって彫刻凹版印刷版を作成し、
（ｃ）前記工程（ｂ）で作成された彫刻凹版印刷版を用いて前記データ担体材料に空浮出し加工を施す、
諸工程を含むことを特徴とする、セキュリティエレメントを備えたデータ担体の作成方法。
【請求項２４】
前記三次元的レリーフが、英数字、図案要素、または中間調画像、好ましくは人物像を表すことを特徴とする請求項２３記載の方法。
【請求項２５】
前記工程（ｂ）において、前記三次元的レリーフに加えて、該三次元的レリーフに正確に整合して配置されかつインキで満たされる少なくとも一つのさらなる領域が前記印刷版に彫り込まれ、次いで前記工程（ｃ）において、前記空浮出し加工と同時に、前記さらなる彫り込まれた領域から前記インキが前記データ担体材料に転写されることを特徴とする請求項２３または２４記載の方法。
【請求項２６】
前記空浮出し加工が前記インキで満たされる彫込み領域の中央に施されることを特徴とする請求項２５記載の方法。
【請求項２７】
前記着色領域が空浮出し模様の周囲の縁取りとして設けられることを特徴とする請求項２５または２６記載の方法。
【請求項２８】
前記着色領域が組紐飾り模様を構成していることを特徴とする請求項２６または２７記載の方法。
【請求項２９】
前記工程（ａ）において、彫刻凹版印刷によらない背景刷りが前記データ担体材料に施され、かつ前記工程（ｃ）において、前記空浮出し加工が前記背景刷り領域全体に施されることを特徴とする請求項２３から２８までのいずれかに記載の方法。
【請求項３０】
前記背景刷りが、スクリーン印刷、間接的凸版印刷、またはオフセット印刷によって印刷されることを特徴とする請求項２９記載の方法。
【請求項３１】
前記着色領域が、前記背景刷りの少なくとも一部領域上に重ねられていることを特徴とする請求項２９または３０載の方法。
【請求項３２】
前記着色領域が、被度の高い中心領域と、被度の低い内側および／または外側領域とを有するように設けられ、前記被度の高い領域が前記背景刷りの縁上に配置されることを特徴とする請求項２９から３１までのいずれかに記載の方法。
【請求項３３】
印刷版の表面上の少なくとも一つの彫込み領域をもって中間調空浮出し模様（３）を作成するための彫刻凹版印刷版において、
前記彫込み領域が、三次元的深さ輪郭の形態の彫込み深さ変化を有することを特徴とする彫刻凹版印刷版。
【請求項３４】
前記彫込みが表面粗さの異なる部分領域を有することを特徴とする請求項３３記載の彫刻凹版印刷版。
【請求項３５】
前記三次元的深さ輪郭が、少なくとも部分的な領域において該三次元的深さ輪郭に重ねられた、個々の部分領域ごとに異なる配向を有する基礎構造を有することを特徴とする請求項３３または３４記載の彫刻凹版印刷版。
【発明の詳細な説明】
【０００１】
本発明は、彫刻凹版印刷によって空（から）浮出し模様が施されたセキュリティエレメントを備えたデータ担体および該データ担体の作成方法、ならびにセキュリティエレメントに空浮出し模様を施すための印刷版に関するものである。
【０００２】
本発明によるデータ担体は、銀行券、ＩＤカード、パスポート、小切手、株券、証書、郵便切手、飛行機搭乗券等のようなセキュリティ文書または有価文書のみでなく、製品保全のためのラベル、シール、包装またはその他のエレメントである。したがって、以後、単純化した呼び方「データ担体」および「セキュリティ文書または有価文書」は、常に上述したタイプのものを含んでいるものとする。
【０００３】
市場価値または利用価値が物の価値を上回るこの種の紙は、適当な検査基準によって、真正品として認識されかつ模造品および偽造品から区別されなければならない。したがって、これらの紙は、模造不能が理想的であるが、模造に莫大な努力を要したり変造不能であったりする特別のセキュリティエレメントを備えている。
【０００４】
過去においては、特にこれらセキュリティエレメントは、観察者によって補助器具なしに真正であると識別され認識されることができることが有用であると思われてきたが、それは同時に莫大な努力によってのみ可能であった。これらセキュリティエレメントは、例えば、製紙工程中でのみデータ担体に組み込むことができる透かし、または複写機で模造することが不可能な触知性によって特徴づけられる彫刻凹版印刷によって形成されるモチーフである。
【０００５】
凹版印刷の特徴は、印刷版の印刷領域、すなわちインキ転写領域が印刷版の表面から窪んで存在することである。これらの窪みは、適当な彫刻工具またはエッチングによって作成される。実際の印刷作業に先立って、彫込みがされた印刷版上にインキが施されるが、インキが上記窪み内にのみ残存するように、ストリッピングドクターブレードまたはワイピングシリンダを用いて、印刷版の表面から余剰のインキが除かれる。次に、通常は紙であるサブストレートが印刷版上に押し付けられてから取り除かれ、これにより、インキがサブストレートの表面に付着し、そこに印刷画像を形成する。もし透明なインキが用いられたとすると、インキ層の厚さが色調を決定する。
【０００６】
凹版印刷技術は、輪転グラビア印刷と彫刻凹版印刷とに区別される。輪転グラビア印刷において印刷版は、例えば電子ビーム、またはレーザービーム、または彫刻機によって作成される。輪転グラビア印刷に関しては、印刷された画像のグレーレベルまたは色価の差異は、印刷版に規則正しく配置された、密度、サイズおよび／または深さの異なる多数のセルによって生み出される特徴がある。
【０００７】
これに対して、彫刻凹版印刷においては、多数の直線状の窪みが印刷版に形成されて画像を形成する。凹版印刷のための機械的に製作される印刷版においては、通常テーパーのついた彫刻工具によって、深い彫込み深さを備えた幅広い線が形成される。さらに、彫り込まれた線のインキ受容性、したがって印刷された線の不透明性は、彫込み深さの増大に伴って増大する。彫刻凹版印刷版のエッチングにおいては、版の非印刷領域が化学的に不活性なラッカーでカバーされる。次に露出された版表面のエッチングによって、インキを受容するための窪みが形成され、これらの線の深さは、エッチング時間と線の幅によって左右される。
【０００８】
彫刻凹版印刷における高い押圧力により、サブストレート材料に、このサブストレートの裏面にも現れる浮出し模様が形成される。もし彫刻凹版印刷版がインキなしで使用されると、使用されたデータ担体に典型的な表面レリーフを形成させる所謂空（から）浮出し模様が生じる。
【０００９】
彫刻凹版印刷、特に鋼板彫刻凹版印刷は、素人でも見分けが容易で、かつ他の通常の印刷法で模造が不可能な、特徴のある浮出し画像を提供する。もし印刷版における彫込みが十分に深ければ、彫刻凹版印刷で印刷されたデータ担体は、浮出し加工およびインキ付けによって、触感によって認知可能なレリーフを形成する印刷画像が得られる。したがって、鋼版彫刻凹版印刷は、偽造防止に関する高度な規格を満足する、例えば銀行券、株券、債券、証書、商品券等の特殊なセキュリティ文書および有価文書における印刷データ担体として用いられるのが好ましい。
【００１０】
国際公開第９７／４８５５５号パンフレットには、機械で再生可能な彫刻凹版印刷版の製作方法が開示されている。原型の線のラインが検知され、かつ各線の表面が測定される。例えば回転彫刻機またはレーザービームのような彫刻工具を用いて、表面の外郭が最初に彫り込まれて、表面をきれいに縁取る。次にこの表面の縁取られた領域が、同じまたは別の彫刻工具によって削られて、線の全表面が原型の線に沿って精密に彫り込まれる。彫刻工具の形式および動作に応じて、インキのためのインキトラップとして働く粗い底のパターンが、削られた表面の底に生じる。
【００１１】
彫刻凹版印刷を空浮出し模様を生成させるために用いることも同様に提案されてきた。金属層に空浮出し加工を施すことも従来から知られている。しかしながら、公知の空浮出し加工は、一種類のみの所定の浮出し高さまたは深さを有する極めて簡単な実施例である。すなわち、浮出し加工は、或る一定の深さを備えた一段彫込みのみを有する印刷版によって行われる。異なる深さを有する線のような、異なる彫込み深さに伴う浮出し領域は、彫込みがなされない領域によって常に隔てられている。このような浮出し模様は、或る斜めの角度から観たときのみ認識されるために、このセキュリティ性は認識されないことが多く、したがって偽造がより簡単に見過ごされることになる。このような浮出し模様はまた、観察者に対して通常は印象を与えない。
【００１２】
本発明の目的は、模倣がより困難で、直ちに認識できかつ光学的に印象的なデザインを備えた、より複雑なセキュリティ性をデータ担体に与えることによって、データ担体の偽造防止性を高めることにある。
【００１３】
この目的は、独立請求項によって達成される。その展開が従属請求項の主題である。
【００１４】
本発明によるデータ担体は、少なくとも視覚的に検査可能でかつ少なくとも一部領域に、インキを用いない彫刻凹版印刷によって施された浮出し模様を有するセキュリティエレメントによって特徴づけられる。
【００１５】
中間調空浮出し模様とは、互いに平滑に連続しているのが好ましい、複数の異なる浮出し高さまたは深さをもった空浮出し模様である。この中間調空浮出し模様は、例えば彫刻またはレリーフの三次元的原型の空間的複製を表すことが好ましい。あるいは、二次元的原型から出発して、それを例えば二次元的原型中に存在する色、中間調、線幅に応じた内容に従って三次元的原型に変換することも可能である。次の工程では、浮出し模様として複製すべき三次元的原型から出発して、印刷版のフライス加工に特に適した、濃度値が彫込み深さに割り当てられた中間調画像が形成される。
【００１６】
浮出し模様の中で特に目立つ領域には最も濃いグレーレベルが、したがって、最大彫込み深さが割り当てられるのが好ましく、より広い領域にはより淡いグレーレベルが、したがって、より浅い彫込み深さが割り当てられるのが好ましい。中間調画像を彫込みに変換することによって、三次元的レリーフが彫り込まれた印刷版に形成される。彫刻工具は、連続した彫込み深さのパターンが生成するように案内することが可能である。特に、モチーフの輪郭のエッジを強調することによって、シャープで明快な表現を紙面上に得ることができる。
【００１７】
簡単な実施の形態においては、原型が、印刷字句等としての英数字、および／または簡単な図案要素からなる。文字および／または図案要素は種々のレリーフ高さを有し、「変調」された表面構造が得られる。もし、文字および／または図案要素のサイズも変えると、この効果が高められる。
【００１８】
好ましい実施の形態によれば、例えば原型の人物像は、複数の異なる中間調またはグレーレベルに変換して用いられる。この変換における個々のグレーレベルまたはグレーレベル群には、次に異なる彫込み深さが、例えば黒には最大彫込み深さが、白には最小彫込み深さが割り当てられる。すなわち、例えば原型では通常輝かしいハイライトを有する人物像の鼻は、この位置での彫込みがより深く、したがって、紙面上から突出した浮出し模様が形成されるために、中間調画像中の最高点において黒で表されなければならない。人物像における画像のすべての部分はしかるべく対応した濃淡値に変換される。彫込み深さに変換された中間調画像は次に彫刻工具の制御に用いられる。異なる深さにフライスされた領域は直接隣接している。すなわち、これら領域は印刷版の表面高さにある領域によって隔離されてはいない。彫込み深さは３００μｍ以上にまで達するが、好ましくは２５０μｍまでである。上述のように、彫込みは基本的にレーザー彫込みによっても行なうことができる。
【００１９】
このように製作された、三次元的に彫り込まれたレリーフを備えた彫刻凹版印刷版は、最終的にデータ担体の浮出し加工に用いられ、三次元的なレリーフが再びデータ担体に形成される。これは本質的には印刷作業であるが、インクの転写は行なわれない。データ担体は、通常の彫刻凹版印刷と同様に、強い押圧力によって彫り込まれた版の窪み内に圧入されて、永久的に変形、すなわち浮出し加工がなされる。最大彫込み深さを備えた印刷版領域は最大の浮出し模様、すなわち紙が最も大きく変形された領域を形成し、最小彫込み深さを備えた印刷版領域は最小の浮出し模様を形成する。印刷版の非彫込み領域に接触する紙は、高い押圧力で一様に圧縮され、少なくとも表面部において凝縮され、これら表面は、彫刻凹版印刷後光沢が増大する。
【００２０】
浮出し加工が施された画像部分の光沢または視覚的印象はまた、選択的に影響を受ける。国際公開第９７／４８５５５号パンフレットで説明された彫込み手法に関して冒頭に述べたように、彫込みによって削られた表面の底の粗いパターンは、彫刻工具の形式および操作によって選択的に形成される。空浮出し加工においては、この印刷版の粗さが浮出し領域の視覚的印象に影響を与える。したがって、彫刻工具が球形の大きい半径の先端を備え、かつ削り経路が近接している（例えば約１０μｍ）場合には、平滑でむしろ反射傾向のある浮出し模様を形成する平滑な彫込みを得ることができる。一方、もし彫刻工具が点状の小さい半径の先端を備え、かつ削り経路が離れている（例えば約５０μｍ）場合には、粗くかつ構造的で、つやのない散漫に散乱する彫込みになる。
【００２１】
浮出し加工されたサブストレートの光散乱を変えるための、これに代わる、または付加的な方法は、印刷版の窪みの彫込み中に個々の部分領域で削り方向を変えることである。直線的でかつ例えば９０度回転した削り経路に沿って形成された彫込みは、異なる光の反射を呈する視覚的に区別できる浮出し模様を形成する。同様に、ぎくしゃくした、または曲がりくねった削り経路もまた、螺旋状または同心状削り経路と比較して同様の効果がある。これらの効果は、空浮き出し模様のデザインをより際立たせるために利用されるのみでなく、同時に偽造防止性を高める。この選択的に用いられる彫込み手法は、浮き出されたレリーフ上で、或る観察角度または反射角度においてのみ明瞭に認識し得る重合わせ構造に利用できる。銀行券または他の有価文書においては、人物像を再現した中間調空浮出し模様に、彫込み基礎構造によって例えば額面金額が重ね合わされる。
【００２２】
浮き出された画像は三次元的であり、かつ比較的複雑な構造を有する。中間調空浮出し模様が占める表面積は限定されない。中間調空浮出し模様が占める表面積は、０．２５平方センチメートルから数平方センチメートルまでが好ましい。
【００２３】
中間調空浮出し模様は、例えば円形、三角形、正方形または非対称的な外形を有するもの、あるいは絵画的記号、文字またはその他の記号を備えたいかなる幾何学的模様を表すものであってもよい。しかしながら、人間の知覚は、人物像の極めて僅かな差異も見分けるように訓練されているので、人物像の描写が特に好ましく、このセキュリティーエレメントの識別価値を極めて大にする。複数の中間調空浮出し模様を、数および形式を問わずに組み合わせることもできる。
【００２４】
セキュリティーエレメントの偽造防止性をさらに高めるために、彫刻凹版印刷に限らない背景刷りに中間調空浮出し模様を組み合わせることができる。この背景刷りは、中間調空浮出し加工工程に先立つ印刷作業において施される。背景刷りは無地が好ましい。背景刷りは、例えばスクリーン印刷、オフセット印刷、間接的凸版印刷またはデジタル印刷で施すことができる。
【００２５】
いかなるインキも背景刷りに用いることができるが、さらなる偽造防止効果を有し、かつその物理的特性から模造が困難な特殊インキを用いることが好ましい。特に適したインキは、メタリックインキ、金属・色素入りインキ、または例えばＭｅｒｃｋ社が販売しているＩＲＩＯＤＩＮＥ（登録商標）のような干渉層色素入りインキである。
【００２６】
あるいは、背景刷りは、例えばホットスタンプによってデータ担体に施される金属層で形成することもできる。
【００２７】
中間調空浮出し模様は、背景刷りの領域全体を占めることが好ましい。特別の実施の形態においては、背景刷りが楕円または円形のメタリック印刷からなる。この背景刷りに対して、次に彫刻凹版印刷によって中間調空浮出し模様が設けられる。中間調空浮出し模様が背景刷りの中央に配置されて、硬貨の印象を表すのが理想的である。
【００２８】
しかしながら、背景刷りと中間調空浮出し模様とが別の印刷作業でサブストレートに施されるので、不整合が生じる可能性がある。この不整合は、中間調空浮出し模様と整合して配置された着色領域との組合せによってカムフラージすることができ、これによって、観察者は中間調空浮出し模様が背景刷りの中央に正確に整合して位置決めされている印象を受ける。空浮出し模様の要素が選択的に着色領域内に延長されて、光学的なブリッジが形成されていない限り、中間調空浮出し模様と着色領域（単数または複数）とが離れていることが好ましい。
【００２９】
着色領域は背景刷りに重ね合わせて配置され、背景刷りの縁が「光学的に消えた」状態、すなわち無地の輪郭が見えなくなって、誤差が効果的に隠蔽される。着色領域については、組紐飾り模様のような線のパターンが適しているが、無地印刷、特に、背景刷りを覆う適当なインキ層の厚さを有する、または背景刷りと同じ色調を有する無地印刷が好ましい。
【００３０】
好ましい実施の形態によれば、上記着色領域が中間調空浮出し模様の周囲の縁取りを形成している。この縁取りはいかなる輪郭を有するものであってもよい。しかしながら、空浮出し模様が着色領域の中央に位置するように、縁取りは楕円形または円形で、かつ空浮出し模様の周囲に一定間隔に配置されることが好ましい。縁取りは連続していても中断されていてもよい。同様に、縁取りは平面的でもパターンを形成していてもよい。縁取りは、組紐飾り模様、または例えば中心を指す鋸歯模様のように、内側エッジが光学的に消えたリングの形状に施されるのが好ましい。同様に縁取りは、文字、または例えば文字と組み合わされた組紐飾り模様のような幾何学的模様とすることができる。背景刷りの縁もこのように構成することができる。もし縁の消滅が、鋸歯模様、組紐飾り模様、アーチ等のように周期構造によってもたらされるならば、それは着色領域の縁においても、背景刷りの縁においても実現され、背景刷りの周期構造と着色領域の周期構造との間の位相差の発生は「光学的消滅」または隠蔽の最適化によって解決される。
【００３１】
中間調空浮出し模様と着色刷りとの整合の正確さは、もし双方が彫刻凹版印刷で形成されるならば、とくに簡単に達成することができる。この場合、彫刻凹版印刷版は、中間調空浮出し模様のための彫込みと、着色領域のための彫込みとを一度の作業で行なうことができる。彫刻凹版印刷の厚いインキ層は、存在するいかなる背景刷をも覆うので、特に効果がある。
【００３２】
この彫刻凹版印刷版は、本発明における他のすべての彫刻凹版印刷版と同様に、先端の尖った高速回転彫刻機で作成されるのが好ましい。印刷または空浮出し模様の輪郭形状に従って、印刷版の表面に彫刻工具が選択的に変化する彫込み深さをもって窪みを形成する。もし中間調空浮出し模様と着色領域とが或る場所において近接している場合には、独国特許公開第１９８ ４５ ４３６号明細書から知られているように、これらの境界領域に分離エッジを設けると、インキが中間調空浮出し模様の領域に侵入したり、さらに浮出し模様領域に流れたりするのを防止するのに都合がよい。
【００３３】
印刷作業に先立って、着色領域を形成する窪みにインキが満たされる。印刷時には、印刷版のインキの満たされた彫込み領域とインキなしの彫込み領域との双方にサブストレートが圧入される。これによって、彫込み領域のインキで満たされた部分からインキがサブストレートに転写される。同時に、通常の彫刻凹版印刷と同様に、サブストレートに浮出し加工が施される。しかしながら、彫刻凹版印刷版のインキなしの領域においては、サブストレートには浮出し模様が施されるのみである。印刷版の処理されていない、すなわち彫込みがされていない表面領域にインキが転写されることはない。
【００３４】
上述の方法によって、データ担体に印刷または浮出し加工がなされると、データ担体のデザインされた浮出し模様が、印刷版の上述した彫込み形式に応じて形成され、これら浮出し領域のうちのいくつかにインキが施される。インキ層領域の幅および深さは、本発明の印刷版の彫込み深さおよび幅と、印刷の用いられたインキに応じて決定される。
【００３５】
通常の彫刻凹版印刷用インキが、選択されたインキ層の厚さに応じて、不透明、または或る程度透明および半透明に印刷される。適当な層厚さおよび背景の色の選択により、明るさおよび色飽和の異なる色調が得られる。もしインキ層の厚さが十分に異なると、さらなる補助手段を用いずに、人間の眼で直ちに見分けられるコントラストを生じる。これは通常の照明条件と通常の観察距離を前提とする。
【００３６】
データ担体の安定性を高めるために、セキュリティエレメントの前面に形成された浮出し模様にラッカーのようなコーティングを施すのがよい。ラッカーには、蛍光物質等のような特別の物質、または液晶色素のようなその他の特別効果を備えた色素を含ませることができる。さらに、ラッカーはつや消しまたは光沢ありに仕上げることができる。それに加えて、保護用ラッカー層は、光沢効果の増強と浮出し模様の防護に役立たせることができる。
【００３７】
この複雑なセキュリティエレメントを備えたデータ担体は、多段の中間調空浮出し模様によって生成されるハイコントラストの光と影の効果に基づく高い偽造防止性を有することに特徴がある。多分触知可能でもあるが、着色との組合せによって、中間調空浮出し模様と整合して配置され、かつ背景刷りに重ね合わされる彫刻凹版印刷は、偽造および模造に対する防護性をさらに高める。
【００３８】
偽造防止性を高めるさらなる方法は、中間調空浮出し模様のモチーフをデータ担体上にそれぞれ異なる手法で複数設けることである。例えば、同じモチーフを、透かしおよび／または古典的に着色された彫刻凹版印刷に用いることができる。また、蛍光インキまたは光学的に変化する（例えば干渉層色素または液晶色素を含んだ）インキを用いて、または所謂潜像および上述した手段の組合せによって、同じモチーフを、背景刷りに、浮出されたホログラムに反復使用することも可能である。
【００３９】
本発明のセキュリティエレメントは、個々のデータ担体にも、または多数のデータ担体を生み出すサブストレートにも施すことが可能である。
【００４０】
適当なサブストレートまたはデータ担体材料は、紙、プラスチックフォイル、プラスチックフォイルが積層またはコーティングされた紙、および多層複合材料のような、彫刻凹版印刷に用いることができるすべてのサブストレート材料である。本発明の方法は、セキュリティ文書または有価文書、例えば、銀行券、株券、債券、証書、商品券等のような偽造防止性に関して一定の基準を満足させなければならない印刷データ担体に対して特に適している。
【００４１】
本発明のさらなる実施の形態および利点を、以下に図面を参照して説明する。
【００４２】
図１は、本発明によるセキュリティエレメント２を備えた、データ担体としての銀行券１を概略的に示す図である。本発明によるセキュリティエレメント２は、背景刷り４、中間調空浮出し模様３、およびこの中間調空浮出し模様３に整合した着色領域５とからなる。銀行券の偽造防止性を高めるために、中間調空浮出し模様３のモチーフは、銀行券に対して異なる手法で複数回反復される。図示の実施の形態においては、銀行券１のモチーフが例えば鋼版彫刻人物像１３および透かし１４として施されている。
【００４３】
図示の実施の形態において、本発明によるセキュリティエレメント２は、中間調空浮出し模様３がメタリックな背景刷り４内に存在することが好ましい硬貨の形態を有している。多色のおよび／または文様、文字等を備えた着色領域５が背景刷り４上に重ねられている。図示の実施の形態においては、文字「ＸＹＺ」および「ｍｅｄａｌ」が描かれた領域を含む着色領域５が中間調空浮出し模様３の周囲の連続した縁取りとして示されている。着色領域５は、印刷された画像に触知可能なエッジを与えるように、印刷版の彫込み深さによって設計することができる。
【００４４】
しかしながら、上記着色領域は他のいかなる形態をも採ることができる。例えば組紐飾り模様からなるものでもよい。着色領域５はさらに、背景刷り４のエッジが観察者に対して「消える」、すなわち隠れるように、背景刷り４とカラーコーディネートさせることができる。
【００４５】
本発明のセキュリティエレメント２を作成するために、データ担体には、第１工程で背景刷り４が施される。無地の背景刷りは、銀色または金色のメタリック着色インキを用いたスクリーン印刷によって形成されるのが好ましい。次に、一つの作業工程中の凹版印刷によって、背景刷り４の領域内に中間調空浮出し模様３と着色領域５とが形成される。すなわち、用いられる凹版印刷版は、着色領域５に対応する彫込みと、中間調空浮出し模様３に対応する彫込みとの双方を備えている。しかしながら、印刷作業においては、着色領域５を生成させる彫込みのみにインキが満たされる。その結果、通常の凹版印刷と同様に、印刷作業中にデータ担体１の着色領域５に浮出し加工とインキが施される。しかしながら、中間調空浮出し領域においては、データ担体１に浮出し加工が施されるのみである。データ担体１が高い圧力を受けて、鋼製凹版印刷版の彫込み領域内に圧入されるために、データ担体１の裏面も認識可能な浮出し模様が形成される。
【００４６】
この状態が図２に示されている。図２は図１のＡ−Ａ線に沿ったセキュリティエレメント２の断面図である。データ担体１または背景刷り４は、彫刻凹版印刷作業時に、中間調空浮出し模様３の領域に浮出し加工のみが施されることを見ることができる。背景刷り４は別の作業でデータ担体１に施されるので、背景刷り４と中間調空浮出し３または着色領域５との間に整合のずれが生じる可能性がある。このため、着色領域５は、図２に示されているように、上記整合のずれを消すために、背景刷り４に重ねて配置されるのが好ましい。図２から明らかなように、左方領域の背景刷り４は、右方領域においてよりも着色領域５で覆われる量が少ない。しかしながら、着色領域５は中間調空浮出し３と整合して配置されるので、観察者にとっては中間調空浮出し模様３が背景刷り４の領域の中央にあるように見える。
【００４７】
特に背景刷りにメタリックな光沢が使用された場合、観察者にとっては、光と影の効果によって、中間調空浮出し模様３の三次元的レリーフの光学的効果が強調される。
【００４８】
彫刻凹版印刷による印刷領域と浮出し領域との正確な整合手法は、印刷領域および浮出し領域の組合せモチーフに用いることができる。例えば、木の幹と枝は空浮出し模様で描き、葉または木の先端はインキを用いた印刷で描くことができる。字句または他の規則的に配置された構造の場合、印刷された記号または絵の要素と、浮き出された記号または絵の要素とを正確に整合させて交互に配置することも可能である。
【００４９】
図３から図６は、セキュリティエレメント２の種々の実施の形態に正面図である。図３において、背景刷り４は光線状に消えるエッジを備えている。ここでは着色領域５が、好ましくは背景刷り４と同心的に印刷された円を形成し、その内側エッジは、円の中心に向かう光線の形状で消えている。彫刻凹版印刷により背景刷りと着色領域との噛合回数を変えると、これら二種類の印刷の整合ずれの許容度を光学的に甘くすることができる。
【００５０】
図４は、着色領域５が、背景刷り４の光線状エッジの周囲全体を囲んでいるのではなく、一部領域にのみ存在する点でのみ図３と異なる。
【００５１】
図５は、セキュリティエレメント２のさらなる実施の形態を示し、中間調空浮出し模様の少なくとも一部分が着色領域５に整合して引き込まれ、着色領域５内に溝を形成している。この実施の形態において概略的に示された中間調空浮出し模様は、異なるハッチングまたは影の付された領域６，７，８の組み合わせられたものである。中間調空浮出し要素７は、交差ヘアラインを形成して着色領域５まで達している。浮出し要素７によって形成された浮出し交差ヘアラインは、着色領域５内で溝９の形状で連続している。浮出し要素７と溝９との間におけるこの正確な整合は、彫刻凹版印刷版を用いた、浮出し模様と着色領域５との同時生成によってのみ可能である。偽造者が、領域６，７，８と着色領域５との浮出し加工を互いに別個に行なおうと試みても、このような整合状態を得ることは不可能である。このような整合配置は、目視で容易に認識することができるので、偽造物と真正の文書とを直ちに識別することができる。
【００５２】
図６は、図５に示された原理のさらなる実施の形態を示す。この実施の形態においては、中間調空浮出し模様３は枝に止まった鳥を示している。枝の一端は着色領域５にまで達し、印刷領域５内の陰画または溝９に連続している。同様のことが鳥の尾羽根にもなされている。これらは浮出し要素７として着色領域５まで延長され、そこで溝９の形で連続している。
【００５３】
図７は、本発明における彫刻凹版印刷版を作成するためにデータを用いることができる中間調画像を示す。この中間調画像は、三次元的原型から作成され、より暗いグレーレベルは、後の浮出し加工でより多く突出せしめられる領域に割り当てられる。この中間調画像の別のグレーレベルには、別の彫込み深さが割り当てられ、これらデータは、この情報によって彫刻凹版印刷版を彫り込む例えばＣＮＣ（コンピュータ数値制御）ミリングマシンのようなミリングマシンに与えられる。
【００５４】
図８は、図７のＡ−Ａ線に沿った彫込み深さパターンを示す。最大彫込み深さは、図７で黒い領域に見える鼻の先端領域および衿のフリル領域に位置する。これら領域の間に位置する中間調はすべて、より浅い彫込み深さを有する。
【００５５】
図９は、本発明のセキュリティエレメント２のさらなる実施の形態を備えた銀行券１を概略的に示す。
【００５６】
このセキュリティエレメント２は、多数の黒いドットによって表されている楕円形のメダルの形状の背景刷り４と、背景刷り４の中心に施されるのが好ましい数字「６」で表されている中間調空浮出し模様３とからなる。背景刷り４には、特に金メタリックまたは銀メタリックが好ましい、観察者が硬貨の印象を受けるメタリックの外見が与えられるのが好ましい。
【００５７】
図１０は、図９のセキュリティエレメント２におけるＡ−Ａ線と、この線から下方にある数字「６」の１／３部分を示す拡大詳細図である。
【００５８】
この実施の形態においては、中間調空浮出し模様３が、浮出し画像における階段状の段々によって実現される三種類の浮出しレベル１０，１１，１２の組合せからなる。勿論、４種類以上の浮出しレベルを採用することもできる。図１０に示されている白い領域１０は、浮出し加工が施されていないか、若しくは極めて僅かに浮出し加工が施された領域を表し、薄い灰色の領域１１は、領域１０よりも大きく浮出し加工が施された領域を表し、濃い灰色の領域１２は浮出し加工が最大に施された領域を表す。紙のようなデータ担体または背景刷りを平滑にすると、浮出し加工が施されていないか、若しくは極めて僅かに浮出し加工が施された領域に特別の光沢が与えられる。一方、領域１１および１２はつや消し効果を有する。
【００５９】
図１１は、背景刷り４を備えたデータ担体１の図１０のＡ−Ａ線に沿った概略的断面図である。異なる浮出しレベル１０，１１，１２が明瞭に認識される。領域１０は、浮出し加工作業において印刷版の彫り込まれていない領域によって形成された極めて平滑な、または浮出し加工が施されていない領域である。領域１１，１２は、データ担体に対し中間的にまたは強度に浮出し加工が施されたことを示し、したがって、中間的にまたは強度に彫り込まれた印刷版領域によって形成される。
【００６０】
一つの浮出し画像中に複数の浮出しレベルからなる種々の階調と、これらのレベルの種々の組合せの可能性により、高い認識価値を備えた複雑なセキュリティエレメントが作成される。
【００６１】
図１２は、例えばセキュリティエレメント２を備えた銀行券のような本発明のデータ担体１を再び示す。ドットが付された背景刷り４は、間接的凸版印刷法によって輝く金色表面として作成された。次に、彫刻凹版印刷作業中に中間調空浮出し模様３が着色領域５と同時に生成され、これによって、空浮出し模様とカラープリント枠との絶対的に正確な整合が保証される。着色領域５は、複製が困難な精密な組紐飾り模様を備えている。着色領域が写実的に周囲と一体化するの可能にするために、かつ背景刷りとカラー印刷との間の遷移領域をよりソフトにするために、カラー印刷は、からみ合った細線を含む、積極的な表現となる被度の低い「疎」の外側および内側領域を備えていることが好ましい。一方、中心領域は、高い被度を有し、かつ例えば多くの細線が交差する消極的な表現となる。
【００６２】
この実施の形態の利点および構成は、背景刷り４に対する着色領域５の位置決めを分解図で示す図１３に説明されている。ここでは中間調空浮出し模様が省略されている。着色領域５は、カラー印刷の中心領域が高い被度をもって背景刷り４の縁上に乗るように背景刷り４上に配置される。背景刷り４とカラー印刷５とは異なる印刷手法で、かつ相互に独立した印刷経路で印刷されるので、セキュリティエレメントを備えた文書の外観を損なう可能性のある数ミリメートルの誤差を許容する整合性が必要になる。図１３に示された実施の形態および構成によって、このような二つの印刷の間の位置ずれが補償されて、効果的に隠される。
【図面の簡単な説明】
【図１】
銀行券の正面図
【図２】
図１のＡ−Ａ線に沿った断面図
【図３】
本発明によるセキュリティエレメントの他の実施の形態を示す図
【図４】
本発明によるセキュリティエレメントの他の実施の形態を示す図
【図５】
本発明によるセキュリティエレメントの他の実施の形態を示す図
【図６】
本発明によるセキュリティエレメントの他の実施の形態を示す図
【図７】
本発明の中間調空浮出し模様のための中間調画像を示す図
【図８】
図７の本発明の彫刻凹版印刷版の彫込み深さパターンを示す図
【図９】
本発明のデータ担体の他の実施の形態を示す図
【図１０】
図９の要部の拡大図
【図１１】
図９のＡ−Ａ線に沿った断面図
【図１２】
本発明のデータ担体の正面図
【図１３】
背景刷りおよび着色領域の配置を説明する図
【符号の説明】
１　　銀行券
２　　セキュリティエレメント
３　　中間調空浮出し模様
４　　背景刷り
５　　着色領域
【図８】
2004508226.tif 000003
【国際公開パンフレット】
2004508226.tif 000004
2004508226.tif 000005
2004508226.tif 000006
2004508226.tif 000007
2004508226.tif 000008
2004508226.tif 000009
2004508226.tif 000010
2004508226.tif 000011
2004508226.tif 000012
2004508226.tif 000013
2004508226.tif 000014
2004508226.tif 000015
2004508226.tif 000016
2004508226.tif 000017
2004508226.tif 000018
2004508226.tif 000019
2004508226.tif 000020
2004508226.tif 000021
2004508226.tif 000022
2004508226.tif 000023
2004508226.tif 000024
2004508226.tif 000025
2004508226.tif 000026
2004508226.tif 000027
2004508226.tif 000028
2004508226.tif 000029
2004508226.tif 000030
2004508226.tif 000031
2004508226.tif 000032
2004508226.tif 000033
2004508226.tif 000034
2004508226.tif 000035
2004508226.tif 000036
2004508226.tif 000037
2004508226.tif 000038
2004508226.tif 000039
2004508226.tif 000040
【国際調査報告】
2004508226.tif 000041
2004508226.tif 000042
2004508226.tif 000043
2004508226.tif 000044
2004508226.tif 000045
2004508226.tif 000046